(57)【要約】【課題】  レーザ光を光源である半導体レーザからヘッド先端に導き、半導体レーザの熱の影響を回避し、良好な浮上特性を備えた上で、高効率な光結合を実現する熱アシスト磁気記録ヘッドを提供することにある。【解決手段】  表面に第一の光導波路１を具備した基板２と、半導体レーザ１００と、端面に第二の光導波路３が形成されたスライダ４により構成されており、半導体レーザ１００から出射した光が第一の光導波路１に伝搬するように、半導体レーザ１００が基板２上に固定され、また第一の光導波路１から出射した光が第二の光導波路３に伝搬するように、スライダ４が基板２上に固定されている構造とする。これにより、放熱性、浮上特性を確保した上で、高い光結合効率を実現することが可能となる。【選択図】  図１
2010040112.tif 000002
【特許請求の範囲】
【請求項１】
基板と、
前記基板上に設けられ、レーザ光を発生させる半導体レーザ素子と、
前記レーザ光を受けて近接場光を発する近接場発生素子、記録を行う磁気ヘッド及び浮上面を有するスライダとを備えた熱アシスト磁気ヘッドにおいて、
前記レーザ光を出射したレーザ光が伝播する第一の光導波路が前記基板上に設けられ、
前記スライダは、前記第一の光導波路上に設けられるとともに、その端面に第一の光導波路を伝播した前記レーザ光を当該スライダの厚さ方向に伝搬させて前記近接場発生素子に導く第二の光導波路を有することを特徴とする熱アシスト磁気記録ヘッド。
【請求項２】
請求項１に記載の熱アシスト磁気記録ヘッドにおいて、
前記基板または前記第一の光導波路に、前記第一の光導波路を伝搬したレーザ光の伝搬方向を変換するミラーが備わることを特徴とする熱アシスト磁気記録ヘッド。
【請求項３】
請求項２に記載の熱アシスト磁気記録ヘッドにおいて、
前記ミラーの、レーザ光の伝搬方向変換角度が60°から120°の間のいずれかであることを特徴とする熱アシスト磁気記録ヘッド。
【請求項４】
請求項１〜３のいずれかに記載の熱アシスト磁気記録ヘッドにおいて、
前記第二の光導波路の浮上面端部及びその近くの部分に近接場発生素子が配置されていることを特徴とする熱アシスト磁気記録ヘッド。
【請求項５】
請求項１において、
前記半導体レーザ光は、前記スライダに対して、前記第二の光導波路を設けた端面とは反対側に位置していることを特徴とする熱アシスト磁気ヘッド。
【請求項６】
請求項２において、
前記第一の光導波路を形成する部材に溝を形成するまたは前記部材をカットすることにより、前記ミラーを形成したことを特徴とする熱アシスト磁気記録ヘッド。
【請求項７】
請求項６において、
前記第一の光導波路にフィルムを貼ることにより前記ミラーを形成したことを特徴とする熱アシスト磁気記録ヘッド。
【請求項８】
請求項２において、
前記基板は凸部を有しており、
前記凸部上に前記第一の光導波路を形成することにより前記ミラーを形成したことを特徴とする熱アシスト磁気記録ヘッド。
【請求項９】
請求項１〜８のいずれかに記載の熱アシスト磁気記録ヘッドにおいて、
前記半導体レーザ素子のｐ電極及びｎ電極の両方が活性層側の面に設けられていることを特徴とする熱アシスト磁気記録ヘッド。
【請求項１０】
請求項１〜９のいずれかに記載の熱アシスト磁気記録ヘッドにおいて、
該第一の光導波路の端部、途中、ミラー部のいずれかに、光学機能素子を配置したことを特徴とする熱アシスト磁気記録ヘッド。
【請求項１１】
請求項１〜１０のいずれかに記載の熱アシスト磁気記録ヘッドにおいて、
前記基板と前記スライダとの間の少なくとも一部に放熱材もしくは熱伝導率の高い接着剤を充填したことを特徴とする熱アシスト磁気記録ヘッド。
【請求項１２】
請求項１〜１１のいずれかに記載の熱アシスト磁気記録ヘッドにおいて、
第一の光導波路と第二の光導波路との間に、屈折率が1より大きい樹脂を充填したことを特徴とする熱アシスト磁気記録ヘッド。
【請求項１３】
請求項１〜１２のいずれかに記載の熱アシスト磁気記録ヘッドにおいて、
該半導体レーザの少なくとも一部もしくは全面を樹脂で覆ったことを特徴とする熱アシスト磁気記録ヘッド。
【請求項１４】
請求項１〜１３のいずれかに記載の熱アシスト磁気記録ヘッドと、
サスペンションとを備え、
前記熱アシスト磁気ヘッドは、前記サスペンションに、前記基板の前記スライダ側で前記サスペンションに取り付けられていることを特徴とするヘッドジンバルアセンブリ。
【請求項１５】
筐体と
磁気ディスクと、
前記磁気ディスクを回転させるモータと、
前記磁気ディスクに記録を行う請求項１４記載のヘッドジンバルアセンブリと、
前記ヘッドジンバルアセンブリを移動させるアームとを備えた磁気ディスク装置。
【発明の詳細な説明】
【技術分野】
【０００１】
本発明は、磁気記録媒体と記録媒体に磁界によって書き込む手段と記録媒体をレーザ光によって加熱する手段を備えた熱アシスト磁気記録ヘッドに関する。
【背景技術】
【０００２】
近年の情報化社会の発展にともない、音声や映像の高精細化が進みかつインターネットのデータ通信量も著しく増加している。これにともない、サーバ等に蓄積される電子データ量が増加し、情報記録システムの大容量化が求められている。情報記録装置として、パソコン、レコーダ、カメラなどに装備されている光ディスクドライブ装置やハードディスクドライブ装置は、膨大な情報を蓄積するための高記録密度化が求められている。この高密度化は、ディスクの記録ビットサイズの微小化を表している。
【０００３】
ハードディスクの高密度化を達成するためには、記録媒体とヘッドの距離を狭め、磁気記録媒体の磁性膜の結晶粒径を微細化することが必要である。磁気記録媒体において、結晶粒径を微細化すると、粒子が熱的に不安定になるという熱ゆらぎの問題があり、近年、高密度化における阻害の主要因として顕在化されてきている。結晶粒径を微細化し、熱的な安定を同時に達成するためには、保持力を大きくすることが有効である。保持力の増加により、記録に必要な磁気ヘッド磁界強度の増加が必要となる。しかし、記録ヘッドに使われる磁性材料の物性及び磁気ディスクとヘッドの距離を狭めることに限界があるため、高密度化にともない保持力を増大させることが困難である。上記の問題を解決するために、光記録と磁気記録を融合した光・磁気ハイブリッド記録技術が提案されている。記録時に印加磁界発生と同時に媒体を加熱して、媒体の保持力を低減させる。これによって、従来の磁気ヘッドでは、記録磁界強度が不足して記録が困難であった高保持力の記録媒体にも記録が容易となる。再生は、従来の磁気記録で用いられている磁気抵抗効果を用いる。このハイブリッド記録方法を熱アシスト磁気記録と呼ぶ。ここで、光による加熱方法は、近接場を利用する方法が提案されている。近接場を用いた熱アシスト磁気記録は、レーザ光源が発生したレーザ光を記録ヘッドに導き、近接場光を発生させる機能を有する素子（以下、近接場光発生素子）を用いて光スポット径を記録に適した大きさと形に変換して使用する。
【０００４】
通常、レーザ光源には、ディスクドライブのパッケージ内で使用する必要性から、レーザ光源の中でも小型で低消費電力の半導体レーザが用いられる。Ｔｂ/iｎ2以上の記録密度を実現する近接場を用いた熱アシスト磁気記録装置で使用する用途の場合、記録媒体表面に達するまでには、数ｍＷ程度のパワーが必要となる。
【０００５】
ＬＤで発生したレーザ光を近接場発生素子に導く光学部品は、反射ミラー、レンズ、光導波路などの光学部品である。ＬＤから発生した光は、光路に配置された光学部品を通過して、近接場発生素子、またその先の記録媒体に到達する。光路を通過する途中に光強度は減衰し、ＬＤの発生した光出力の数十分の一になる。光強度の減衰の主な原因は、光学部品内を通過する時の吸収損失や散乱損失、及び光学部品を接着する時に生じる理想的な位置からのずれに起因する結合損失等である。よって、熱アシスト磁気記録において、近接場発生素子に入射するまでの結合損失を小さくした構造が必須となる。
【０００６】
一方、ハードディスクのスライダは、ピコスライダからフェムトスライダへと小型化が進んでいる。また、浮上面は10nm程度まで浮上量も小さくなってきている。今後はさらに小型化が進み、浮上面が小さくなることも予想される。しかし、小型化及び浮上量が小さくなると、スライダ自身の反りが問題になってくる。そのため、上記述べた結合損失を小さくすることに加え、スライダの反りを抑えた構造が必須となってきている。
【０００７】
なお、特開２００２−２９８３０２号公報（以下、特許文献１）には、溝を形成したスライダの上に光ファイバーを配置し、スライダ端面の光プリズムを介して、レーザ光を、ギャップを介して対向する一対の構造体である近接場プローブ及び書き込みヘッドに入射することで、媒体の低ノイズ化、熱擾乱耐性の確保、実用的な記録ヘッドによる記録を実現する光アシスト磁気記録ヘッドを提供している。特開２００６−１８５５４８号公報（以下、特許文献２）には、サスペンションの下側にスライダ、磁気磁極、磁気記録素子、磁気再生素子、光導波路、開口を取付けており、サスペンションの反対側にレーザダイオードを配置することで、小型軽量化を図った熱アシスト磁気記録ヘッドを提供している。さらに、スライダと同様の方向に導波路とＬＤ素子を縦に並べて配置する構造についても記載されている。特開２００７−９５１６７号公報（以下、特許文献３）には、サスペンション上に、半導体レーザ、導波路、近接場発生素子及びスライダとして機能する回折素子が設け、半導体レーザから出射されたレーザ光は導波路を伝播して回折素子によって集光され、プラズモンプローブを照射することで、簡単な構成によって薄型化を達成できる熱アシスト磁気記録ヘッドを提供している。
【０００８】
【特許文献１】特開２００２−２９８３０２号公報
【特許文献２】特開２００６−１８５５４８号公報
【特許文献３】特開２００７−９５１６７号公報
【発明の開示】
【発明が解決しようとする課題】
【０００９】
上記特許文献１で論じられている従来技術では、光ファイバーを介してスライダ端まで光を導いている。レーザ光源及び光ファイバーを固定する配置について、示唆されていないが、サスペンションもしくはアームに実装された場合、スライダまでのファイバの引き回しが大きな課題となる。加えて、光ファイバは剛性が高く、ディスクのうねりに対応して、浮上するスライダの動きを阻害するため、本構造では、浮上特性において課題が多い。
【００１０】
上記特許文献２で論じられている従来技術では、サスペンションの厚みやサスペンションとの接続材の厚みを通して、導波路に光を導く構成となるため、光の結合の効率が悪いという課題がある。また、スライダはディンプルで微小に稼動するのが一般的だが、上記構成では、ＬＤ光が追従しないため、光結合に大きな問題が出る。一方、サブマウントをスライダ側に設けた場合は、スライダの追従に問題はないが、一般的に、ＬＤの長さ（共振器長）は500μm程度必要となることから、厚くなり、サイズに大きな課題がある。また、ＬＤ素子の放熱やサスペンションとスライダ、スライダとサブマウントの接続材などについての示唆されていない。上記特許文献３で論じられている従来技術では、サスペンション上に導波路を配置され、スライダがサスペンションに接続される構成となっているが、従来のディンプルのように、ねじれ方向や曲げに対応して動く機能がなく、浮上特性の観点において課題が多い。また、スライダとして、樹脂や石英からなる透光性平板が提案されているが、これまで使用されているＡｌＴｉＣに対して、加工精度や剛性や価格の観点から代替とすることは困難である。
【００１１】
そこで、本発明は、放熱性と浮上特性を確保しつつ、半導体レーザからの光を効率よく、磁気ヘッド近傍の光導波路に伝播させることで、高密度・高速記録対応を可能となる熱アシスト磁気記録ヘッドを提供することにある。
【課題を解決するための手段】
【００１２】
本発明は、上記課題を解決するために、基板と、基板上に設けられ、レーザ光を発生させる半導体レーザ素子と、レーザ光を受けて近接場光を発する近接場発生素子、記録を行う磁気ヘッド及び浮上面を有するスライダとを備えた熱アシスト磁気ヘッドにおいて、半導体レーザ光を出射したレーザ光が伝播する第一の光導波路が前記基板上に設けられ、スライダは、第一の光導波路上に設けられるとともに、その端面に第一の光導波路を伝播したレーザ光をスライダの厚さ方向に伝搬させて近接場発生素子に導く第二の光導波路を有することを特徴とする、熱アシスト磁気記録ヘッドである。
【発明の効果】
【００１３】
本発明によれば、光導波路が形成された第一の基板を用い、これに半導体レーザとスライダを搭載することによって、放熱性を確保しつつ、磁気ヘッド近傍に半導体レーザを配置できるため、半導体レーザからの光を効率良く、光導波路に伝播させることが可能となる。さらに、スライダの反りを抑えることができる構造のため、良好な浮上特性を確保することができる。以上より、厚みがそれほど厚くなることなく、コンパクトな構成で、高密度・高速対応を可能とする熱アシスト磁気記録ヘッドが実現可能となる。
【発明を実施するための最良の形態】
【００１４】
以下、本発明の実施の形態を説明する。
【００１５】
本発明による熱アシスト磁気記録を達成するために必要な磁気記録ヘッド部の主要部品は、半導体レーザ、光導波路の形成された基板、光導波路・近接場発生素子・磁界発生素子を具備したスライダである。
【００１６】
半導体レーザは動作中に高温になるが、その時の温度と発光特性や寿命には密接な関係がある。従って、放熱性を確保するために、半導体レーザとそれを搭載する基板との接続は、活性層を基板接続面に近い位置に配置するジャンクションダウン構造をとることが望ましい。半導体レーザと基板とは、光を伝搬させる光導波路との相対位置が経時変化することを避けるために、クリープ変形の極めて小さいAu-Snはんだを用いるのが好ましい。
また、良好な放熱を確保できないと、半導体レーザの寿命が低下する以外に、動作によりスライダに反りが発生するという問題がある。この反りの程度が大きくなると浮上特性が悪化する。
【００１７】
以上より、半導体レーザとスライダが高温にならないように効率良く熱を逃がすことが必須となる。従って、基板の材料としては、熱伝導率の高いもの、半導体レーザの部材（GaAs）やスライダの部材（AlTiC）のそれに近い熱膨張係数を有する部材を用いるのが望ましい。具体的には、ＳｉＣ、Ａｌ２Ｏ３、ＡｌＮ、Ｓｉ、ＡｌＴｉＣなどから、加工性などを加味して選ぶと良い。基板の厚みとしては、浮上特性、剛性などから100μm〜200μm程度が好ましい。
【００１８】
スライダの一端面には、光導波路がスライダの厚さ方向に、スライダの上面から下面を貫通するように設けられている。さらに、スライダの浮上面（ＡＢＳ：Ａｉｒ Ｂｅａｒｉｎｇ Ｓｕｒｆａｃｅ）には、近接場発生素子が設けられている。スライダの材料としては、ＡｌＴｉＣが従来から使用されている。以上の構成する部材を接着剤やはんだなどの接続部材を用いて高精度に固定することが重要となる。
【実施例１】
【００１９】
本発明の第一の実施の形態を、図１を用いて説明する。
【００２０】
図１は、第一の光導波路１の形成された基板２上に、半導体レーザ１００と、端面に第二の光導波路３を形成したスライダ４とを搭載した熱アシスト磁気記録ヘッドである。
【００２１】
半導体レーザ１００は、基板２上の第一の光導波路１が形成されていない位置に設けられる。半導体レーザ１００の光出射部は、第一の光導波路１の、一方の端部と近接して配置されており、半導体レーザ１００から放出された光ビームが効率良く第一の光導波路１に伝搬するようになっている。半導体レーザ１００の位置合わせは、光導波路１にできる限り効率良く入射できるように高精度に配置する必要がある。基板２に位置合わせマークを形成し、また半導体レーザ１００にも位置合わせマークを作り込み、これらを基準にして位置合わせをする。このとき、基板１の位置あわせマークには光導波路１のコアを形成するプロセスにて作製し、また半導体レーザ１００の位置あわせマークはレーザのメサ構造を形成するときのプロセスで形成した位置合わせマークを用いると高精度に搭載することができる。
【００２２】
本実施例では、半導体レーザ１００の電極５は、p型電極とn型電極共に、半導体レーザ１００の、基板２に接合する側に設けた構造となっている。そして、半導体レーザ１００の電極５と基板２の電極６とを、はんだ７によって、ｐ電極とｎ電極がつながらないように留意しながら電気的に接続する。半導体レーザ１００の電極接続方法は、上記以外の、例えば、p電極を基板２の電極とはんだ接続し、n電極は、半導体レーザ１００の基板２に接合する面と反対側の面に電極を形成し、これと基板２等に形成した電極とをワイヤボンディングで接続する方法をとっても構わない。但し、ボンディングワイヤがスライダやディスクに接触しないことが条件となる。
【００２３】
第一の光導波路１の、もう一方の端部には、光の伝搬方向を変換するミラー８が形成されている。ミラーによる光ビームの変換角は60°〜120°が望ましく、85°〜95°の間であるとなおよい。光導波路1の材料としては、本実施例ではレーザ光の波長に対して透過率の高いポリマを用いている。その形成手順としては、アンダークラッド16、コアパターン15、オーバークラッド16を逐次積層して形成する。コアパターン１５の形成方法としては露光・現像法、フォトブリーチング法、ドライエッチング法など多種あるが、そのいずれでも構わない。また、図２に示すように、予めアンダークラッド/コアパターン/オーバークラッドからなるフィルム状の光導波路を作製し、これを接着剤１１などの接合方法にて基板２に搭載するという方式を用いても構わない。ポリマ光導波路の部材に関しては、レーザ光の透過性が良く、屈折率の厳密な制御が可能な材料が望ましい。例えばフッ素化ポリイミド、エポキシ樹脂、アクリル樹脂、シリコーン樹脂などを主成分とした部材が望ましい。なお、光導波路1の材料はポリマ以外の、例えば石英を主成分とする部材でも構わない。
【００２４】
本実施例では、ミラー８はダイシングにより光導波路1を斜めに削ることで形成した。光導波路を削る方法としては、ダイシング以外の、ドライエッチング、ウェットエッチングなどでも構わない。また、図３に示すように、光導波路のみでなく基板２ごとカットする構造としても構わない。図２に示すように光導波路フィルム１を基板２に貼付する構造の場合には、光導波路フィルムを貼付する前にミラー溝を形成する、もしくは45°にカットする方式としてよい。但し、この場合、ミラー面に接着剤が接触すると屈折率差が極端に減って光が反射しなくなるため、ミラー面に接着剤がはみださないように接合するか、図２に示すようにミラー面に予め金属膜９を形成して接着剤の有無に関わらず光を反射できるようにする必要がある。
【００２５】
基板２上の第一の光導波路１の上には、端面に第二の光導波路３が形成されたスライダ４が設けられている。第二の光導波路３は、第一の光導波路１にミラー面が形成された側と同じ方向のスライダ３の端面に形成されている。ミラー８により伝搬方向が変換された光は、スライダ４に形成された第二の光導波路３に伝搬し、近接場素子１３に至る。第一の光導波路１から第二の光導波路３に効率良く光を伝搬させるためには、半導体レーザ１００と同様、スライダ４も高精度に搭載する必要がある。パッシブアライメントで搭載する場合は、第一の光導波路１のコアと第二の光導波路３のコアを位置合わせマークとして搭載する。このとき、それぞれの光導波路のコア形成工程と同じプロセスにて位置合わせマークを形成し、これを目安にして搭載しても構わない。一方、半導体レーザ１００に電流を流すことができれば、第二の光導波路３から出射する光の出力が最大となるように位置調整をする、いわゆるアクティブアライメントが可能である。位置合わせ方法は、上記のいずれでも構わない。
【００２６】
基板２とスライダ４の接合には、接着剤を用いた。基板２のスライダ４と接する面に接着剤１０を塗布し、スライダ４を搭載する。現在のハードディスクにおいて、スライダの浮上量は10nm程度である。そのため、数nmオーダの反りが不均一に起こると浮上特性が悪化する。また、スライダの厚みは230μmと非常に薄くなっており、スライダに熱応力がかかると反りやすい状況にある。そこで、接着剤１０は、スライダ４の反りを最小限にするために、低弾性率・低硬度の接着剤を用いる必要がある。具体的には、室温での弾性率１００ＭＰa以下、ショアＡ硬度５０以下の物性が望ましい。
【００２７】
スライダの位置合わせを行った後、接着剤１０を硬化させてスライダ４を固定する。本実施例では、接着剤１０として紫外線と熱硬化併用の機能を加えた導電性接着剤を用いる。位置合わせ後、接着剤１０に紫外線を照射して仮固定する。すると、接触などしない限りスライダ４は基板２に対して移動しなくなる。その後、ベークを行い接着剤１０を本硬化させ、完全に固定する。
【００２８】
なお、接着剤１０に関しては、接着部の面部分に熱硬化型接着剤、端の部分に紫外線硬化型接着剤と分けて形成しても構わない。このとき、紫外線硬化型接着剤は仮固定の、熱硬化型接着剤は、本接合の機能を果たす。また、光導波路同士の光結合部分に接着剤１０がはみ出さないように、スライダ４にめっきなどでダム構造を設けておくとなおよい。
【００２９】
接着剤１０は、できる限り薄く、具体的には２０μｍ以下にすることが望ましい。接着剤の厚みが薄いほど、第一の光導波路１の出射端と、第二の光導波路３の入射端の距離が短くなり、すなわち光結合効率が向上する。
【００３０】
基板２の、スライダ４との接着面は、光導波路のオーバークラッド面であっても、あるいは光導波路のクラッドがない部分を設け、基板２の表面であっても、いずれでも構わない。前者であれば接着剤１０の厚さが可能な限り薄くできるメリットがある。後者であれば、放熱性に優れるという利点がある。
【００３１】
図１１には、光導波路２００付きのスライダ１０の一例が示され、（ａ）にはＬＤ素子１００を搭載した基板２に対向する端面（ｘ−ｙ平面）が、その近傍に形成される近接場発生素子１３と記録媒体に情報を書き込むための磁界発生素子（以下、書き込み素子）１４Ｗとの透視像とともに示され、（ｂ）には（ａ）のＢ−Ｂ’線からｚ軸方向に切断されたスライダ１０のｙ−ｚ平面図が、（ｃ）には（ａ）のＣ−Ｃ’線からｚ軸方向に切断されたスライダ４のｙ−ｚ平面図が、夫々示される。スライダ４に対し、図示されぬ記録媒体（磁気ディスクのトラック）は、ｚ軸を示す「矢印」の方向に進む。この「矢印」は、スライダ４の基材１０１上に形成される磁界発生素子１４や近接場発生素子１３の薄膜の成長方向をも示す。
【００３２】
ＡｌＴｉＣ（Ａｌ２Ｏ３−ＴｉＣ）などの非磁性材料から成る基材１０１の主面（ｘ−ｙ平面）には、記録媒体から情報を読み出すための磁界発生素子（以下、読み出し素子）１４Ｒと、近接場発生素子１３を兼ねた書き込み素子１４Ｗとが順次形成され、誘電体膜（絶縁膜）１１，１２により互いに隔てられている。即ち、図示されない磁気ディスクのトラックには、読み出し素子１４Ｒと書き込み素子１４Ｗとが順次対向し、書き込み素子１４Ｗと対向したトラックは、これから磁気信号（書き込み信号）を受けるとともに、これに並設された近接場発生素子１３で生じた近接場光で照射される。
【００３３】
読み出し素子１４Ｒは、ＧＭＲ（巨大磁気抵抗効果，Giant  Magneto  Resistive）型として構成されても、ＴＭＲ（トンネル磁気抵抗効果，Tunnel  Magneto  Resistive）型として構成されてもよい。前者の読み出し素子１４Ｒは、基材１０１側から、例えばＭｎＩｒ（マンガン・イリジウム）等の反強磁性層、Ｒｕ（ルテニウム）膜をｚ軸方向にＣｏＦｅ（コバルト・鉄）膜で挟んで成る積層フェリ構造、Ｃｕ（銅）から成る酸化防止層、及びＣｏＦｅとその酸化物から成る電流狭窄層をこの順に積層して構成される。読み出し素子１４Ｒの上下には、上部シールド層１４１Ｕ及び下部シールド層１４１Ｌが夫々誘電体膜（絶縁膜）１２を隔てて形成される。これらのシールド層１４１Ｕ，１４１Ｌは、例えば、ＮｉＦｅ（ニッケル・鉄），ＣｏＺｒＮｂ（コバルト・ジルコニウム・ニオブ），ＣｏＦｅ，ＣｏＮｉＦｅ等の軟磁性材料で形成される。
【００３４】
書き込み素子１４Ｗは、上部磁極１４２Ｕと下部磁極１４２Ｌとから成るヨーク（Yoke）１４２と、この磁極１４２Ｕ，１４２Ｌとの間に磁界（磁気信号）を発生させるコイル１４３とを備える。コイル１４３は、Ａｕ（金），Ａｇ（銀），Ｃｕ，Ｃｒ（クロム），Ａｌ（アルミニウム），Ｔｉ（チタン），ＮｉＰ（ニッケル・燐），Ｍｏ（モリブデン），Ｐｄ（パラジウム），Ｒｈ（ロジウム）等の非磁性金属材料からなり、ポリイミド（Polyimide）やポリカーボネイト（Polycarbonate）等からなる有機絶縁膜１４４に埋め込まれて、ヨーク（磁極）１４２から隔てられる。ヨーク１４２は、例えば上記シールド層１４１Ｕ，１４１Ｌと同様の軟磁性材料で形成される。しかし、本発明による磁気ヘッドのヨーク１４２は、その２つの磁極１４２Ｕ，１４２Ｌを隔てる間隙が記録媒体に印加される磁界を発生するとともに、この記録媒体の表面近傍に上記近接場光を発生させる所謂プラズモンプローブ（Plasmon  Probe）としても機能するように作製される。近接場光は、可視光（波長帯域：３８０〜７８０ｎｍ）の光（レーザ光）がその波長より小さい間隙を通過する際に起きるプラズモン共鳴で発生し、この間隙に近接された記録媒体の表面近傍を局所的に加熱する。図１１（ｃ）に示されたスライダ４の下面（ｘ−ｚ平面）から露出された磁極１４２Ｕ，１４２Ｌは、ｚ軸方向に例えば、１０〜１００ｎｍの間隙（プローブ間隙，Probe  Gap）１３Ｇで隔てられる。この間隙１３ＧがＡｕ、Ｐｔ（白金）、Ａｇ等の貴金属からなる部材で形成されると、これに入射する光のプラズモン共鳴が生じ易くなる。従って、ヨーク１４２の「コイル１４３から信号が印加される部分（例えば、図１１（ａ）のＢ−Ｂ’線で横切られた部分）」を軟磁性材料で形成し、その「誘電体層１１，１２から露出されて記録媒体に磁気信号を印加し且つ近接場光を当てる部分（例えば、図１１（ａ）のＣ−Ｃ’線で横切られた部分）」では当該軟磁性材料膜の上に貴金属膜を形成して間隙１３Ｇを調整するとよい。この貴金属膜は、ヨーク１４２を成す上部磁極１４２Ｕと下部磁極１４２Ｌとの接合部材として利用してもよい。
【００３５】
図１１（ａ）のＣ−Ｃ’線近傍でスライダ４の下面に対向する磁気ディスク（不図示）のトラックに対し、これに記録された情報は読み出し素子１４Ｒで読み出され、これに新しい情報が書き込み素子１４Ｗで書き込まれる。一方、この磁気ディスクの他のトラック（上記トラックに対して磁気ディスクの半径方向に並ぶ）の各々においては、これに記録された情報が読み出し素子１４Ｒで読み出されることはなく、また、これに新しい情報が書き込み素子１４Ｗで書き込まれることもない。即ち、図１１（ａ）のＣ−Ｃ’線近傍以外の場所では、図１１（ｂ）の断面図に破線枠（１４Ｒ）で例示されるように、読み出し素子１４Ｒは形成されない。書き込み素子１４Ｗのヨーク１４２も、図１１（ｂ）の断面図に例示されるように、磁気ディスクに対向するスライダ４の下面（ｘ−ｚ平面）から離され、その２つの磁極１４２Ｕ，１４２Ｌを隔てる間隙も、図１１（ａ）のＣ−Ｃ’線近傍における上記プローブ間隙１３Ｇより広い。これにより、スライダ４は、磁気ディスクの特定のトラックに対して選択的に磁気信号の授受を行なう。本実施例では更に、ＬＤ素子１００で発振されたレーザ光を図１１（ａ）のＣ−Ｃ’線近傍に形成された近接場発生素子１３（プローブ間隙１３Ｇ）に選択的に導くことで、磁気ディスクへの情報の記録密度を上げる。このため、本実施例のスライダ４では、磁界発生素子１４等が埋め込まれる誘電体膜（絶縁膜）１２の材料として、通常用いられるアルミナ（Ａｌ２Ｏ３）に代えて、ガラス（ＳｉＯ２他）を用い、また、その内部に屈折率が高い領域１１をプローブ間隙１３Ｇからｙ軸方向（Ｃ−Ｃ’線沿い）に延在させて形成する。即ち、誘電体膜（絶縁膜）１２における高屈折率領域１１を「コア（Core）」とすると、これを囲む屈折率の低い領域は「クラッド（Clad）」となり、ＬＤ素子１００から出射された光をコア１１に閉じ込める。以降、参照番号１１が付される部材は「コア」、参照番号１２が付される部材は「クラッド」、と夫々記される。先述した光導波路２００は、コア１１とその周囲を囲むクラッド１２とにより構成される。
【００３６】
コア１１及びクラッド１２のいずれも、基材１０１の主面又はその上に形成された構造物上にガラス微粒子を堆積させ、この堆積層を高温で加熱することにより透明化して形成される。コア１１には、クラッド１２に比べて酸化チタンや、酸化ゲルマニウム等のドーパントが高い濃度で含まれて、その屈折率がクラッド１２よりも高く上げられている。図１１（ａ）及び図１１（ｃ）において、ＬＤ素子１００から出射された光は、スライダ４の上面（ｘ−ｚ平面）からコア１１に入射し、コア１１内をｙ軸方向沿いに伝播して、スライダ４の下面近傍に形成された近接場発生素子１３に到る。近接場発生素子１３に到達した光は、これに設けられたプローブ間隙１３Ｇでプラズモン共鳴を起こし、近接場光に変換されて磁気ディスクの表面（上面）の近傍を局所的に加熱する。
【００３７】
本実施例によれば、半導体レーザをその活性層を基板側に向けた構造とすることにより、半導体レーザで発生した熱が基板に伝わりやすく、放熱性が良い。また、半導体レーザを直接スライダ上に搭載していないので、スライダに熱が伝わることによる応力の影響などの弊害を抑制することができる。
【００３８】
以上により、放熱性を確保しつつ、半導体レーザからの光を効率良く光導波路に伝播させることができ、かつスライダの反りを抑えることにより良好な浮上特性を確保することができる熱アシスト磁気記録ヘッドが実現可能となる。
【実施例２】
【００３９】
本発明の第二の実施の形態を、図４を用いて説明する。
【００４０】
本実施例は、基本的には図１に示す第一の実施例と同様の構造であるが、違いは、第一の光導波路１に設けるミラーの形成方法である。図４に示すように、基板２上に斜面を有し、表面が金属などレーザ光を反射する部材でできた突起５０を形成し、この上に光導波路を形成することでこの突起５０をミラーとする。突起５０の斜面の角度は、光ビームの変換角が60°〜120°になるようにすることが望ましく、85°〜95°の間であるとなおよい。突起５０の形成方法としては、金属で形成してもよいし、あるいは樹脂で形成した後にスパッタやめっきを用いて金属薄膜で覆っても構わない。第一の光導波路１の形成方法も、アンダークラッド/コア/オーバークラッドを逐次積層する方式でも、あるいはコアが形成されたフィルムを貼付する方式でも構わない。基板２上に予めミラーを形成することで、ダイシング等により溝を形成する工程を省くことができる。
【実施例３】
【００４１】
本発明の第三の実施の形態を、図５を用いて説明する。
【００４２】
本実施例の図１に示す第一の実施例との違いは、基板２が段差構造になっており、段差の下面５１に半導体レーザ１００と第一の光導波路１とが形成され、段差の斜面５２が第一の光導波路１から伝搬した光のミラーの役割を果たしている点である。基板２の段差の形成には、本実施例ではＳｉの異方性エッチングを用いた。基板表面が100面のＳｉ基板を用い、ＳｉＯ2をエッチングマスクにしてＫＯＨ等でＳｉを異方性エッチングすると、段差の斜面５２の角度は54.7°となる。これにより、基板表面に対し平行に伝搬するレーザ光の変換角は約70°となる。もちろんこれでもよいが、本実施例ではさらに望ましい形態にするために、結晶方位を9°シフトさせたＳｉ基板を用いた。これにより異方性エッチングにより形成される斜面５２の角度はおよそ45°となり、基板表面に対し平行に伝搬するレーザ光の変換角は約90°となる。基板の部材に関しては、Ｓｉ以外のＳｉＣ、Ａｌ２Ｏ３、ＡｌＮ、ＡｌＴｉＣでも構わない。その場合、段差の斜面５２の形成方法は機械加工などにより行う。その際、段差の斜面は光ビームの変換角が60°〜120°になるような角度にすることが望ましく、85°〜95°の間になるようにするとなおよい。
【００４３】
基板２の、スライダ４との接着面に関しては、基板表面または光導波路のオーバークラッド面いずれでもよいが、図５に示すように、段差を光導波路のコアの近傍だけ設け、コア近傍の横は段差を設けない（エッチング等を行わない）構造とすれば、接着剤１０の厚みを最小限にでき、かつ放熱性は良好にできる。
【００４４】
第一の光導波路の形成方法など、その他の部分に関しては、実施例１と同様である。
【実施例４】
【００４５】
本発明の第四の実施の形態を、図６を用いて説明する。
【００４６】
本実施例では、レーザ半導体１００から出射されたレーザ光が第一の光導波路１に入射する部分と、第一の光導波路１から出射されたレーザ光が第二の光導波路３に入射する部分に、屈折率を調整したマッチング樹脂５４を充填した構造となっている。このような構成とすることで、出射ビームのビーム広がり角を抑えることができ、また光導波路の入射部分での光の反射を抑えることができる。マッチング樹脂５４の屈折率は、光導波路のコアのそれに近い材料を用いると反射を最小限に抑えることができ、望ましい。
【００４７】
本実施例では、マッチング樹脂５４は光結合部分２箇所に設けているが、これはいずれか一方に設ける形態でも構わない。また、本実施例は実施例１の構造を用いているが、実施例２や実施例３の構造も用いても当然構わない。
【実施例５】
【００４８】
本発明の第五の実施の形態を、図７を用いて説明する。
【００４９】
本実施例では、レーザ半導体１００全体をポッティング樹脂５５で覆っている構造となっている。これにより、数μm〜数10μmオーダの微小な屑が半導体レーザから発生する懸念が払拭され、ハードディスクを動作する際に再生・記録に障害が発生する可能性が低減する。本実施例では、ポッティング樹脂５５には、実施例４にて述べたマッチング樹脂の機能も備えたものを用いているが、実施例４に示すようなマッチング樹脂を形成した後にポッティング樹脂を形成するという形態にしても構わない。また、本実施例は実施例１の構造を用いているが、実施例２や実施例３の構造も用いても当然構わない。
【実施例６】
【００５０】
本発明の第六の実施の形態を、図８を用いて説明する。
本実施例では、第一の光導波路１の途中に1/2波長板５６を挿入した構造となっている。1/2波長板５６は、第一の光導波路１に溝を掘り、そこに挿入し接着固定することによって固定されている。この1/2波長板の存在により、半導体レーザ１００から出射した光の偏光方向を回転させることができる。例えば、半導体レーザ１００からの光の偏光方向が基板２の表面に対して平行である場合、1/2波長板５６の基板２の表面に対する偏角を45°とすることで、光の偏光方向を基板２の表面に対して垂直方向に変換することができる。このような措置を施すことにより、どのような偏光方向の光源を用いても近接場プローブに対して最適な偏光方向に光を照射することができ、高性能な熱アシスト磁気記録ヘッドを提供することができる。なお、1/2波長板の固定方法は、上記以外の方法でも構わない。また、その設置位置も第一の光導波路の光の入射端部、あるいは出射端部にあっても構わない。また、1/2波長板以外の光学機能素子であっても構わない。さらに、本実施例は実施例１の構造を用いているが、実施例２や実施例３の構造も用いても当然構わない。
【実施例７】
【００５１】
本発明の第七の実施の形態を、図９を用いて説明する。
【００５２】
図９は、ヘッド２００を機械的に駆動するサスペンション２０に基板２を接着固定したヘッドジンバルアセンブリ（Head Gimbal Assembly）の模式図である。磁気ディスク３１は回転時には図のZ方向に移動する。スライダー４は磁気ディスク３１の移動により生じた気流をその浮上面に受けることで浮上力を得て、また、サスペンション２０はスライダ４から応力を受けてたわむことで、ヘッド２００と磁気ディスク３１との距離を所定の範囲に保つ。
【００５３】
ヘッド２００とサスペンション２０の間には、ジンバルバネ（Gimbal Spring，板バネの一種）３３が設けられており、ヘッド２００とジンバルバネ３３とは接着剤１２により接着されている。本固定に用いた接着剤１２は、主に放熱を考慮すれば良く、熱伝導率の高い接着剤を用いるのが良い。また、接着剤１２は、基板２のスライダ４と光導波路１を搭載した位置に対応する反対側の面に設けられており、基板２の半導体レーザ４を搭載した位置は自由端になっている。従って、半導体レーザ１００の熱が伝わって基板２が熱膨張しても、サスペンション２０とヘッド２００との相対位置に影響を与えないようになっている。
【００５４】
サスペンション２０とジンバルバネ３３の間には、ディンプル２１が設けられている。ディンプル２１の位置は、スライダ４の中心付近に配置するのが望ましい。熱アシスト磁気記録ヘッドの場合、磁界発生素子２２と半導体レーザ素子１００の駆動電力の供給は、サスペンション２０に設けられたリードライン（図示せず）を通して行われる。そのため、サスペンション２０と基板２、基板２とスライダ４をはんだ等を用いて電気的に接続する必要がある。その際、はんだ接続には、はんだボール２３を電極部に供給した後に、レーザを照射し接続を行う方法を用いた。接続方法に関しては、はんだ以外の、例えばＡｕのボールを用いて超音波接合により行っても構わない。また、本実施例は実施例１の構造を用いているが、実施例２〜６のいずれかを用いても当然構わない。
【実施例８】
【００５５】
本発明の第八の実施の形態を、図１０を用いて説明する。
【００５６】
図１０は、本発明による熱アシスト磁気記録ヘッド２００を搭載したハードディスクドライブ装置３００の構造を示した模式図である。ハードディスクドライブ装置３００の筐体３２の中に、記録媒体である磁気ディスク３１が配置され、スピンドルモータ２４で磁気ディスク３１は高速回転する。サスペンション２０には、熱アシスト磁気記録ヘッド２００が搭載され、もう一方向は、アーム２５に接続されている。熱アシスト磁気記録ヘッドとしては、実施例１〜６のいずれも用いることができ、ヘッドジンバルアセンブリとしては実施例７記載のものが用いることができる。アーム２５はボイスコイルモータ２６で駆動し、回転するディスク３１の記録する位置へヘッド２００を移動させる。記録データの書き込み及び読み込み情報を処理する信号処理用ＬＳＩ３０も筐体３２内に配置されている。
【００５７】
磁気ディスク３１へ書き込みを行う場合には、ボイスコイルモータ２６によりヘッド２００を書き込みを行う位置に移動させる。そして、半導体レーザ１００が発したレーザが光導波路１、１５を伝わって、スライダの近接場発生素子１３に達し、近接場発生素子１３は、近接場光を発して磁気ディスク３１の表面を局所的に加熱する。加熱されて保磁力が弱くなった場所へ磁極により磁気を印加することで、熱アシストを用いない場合に比べて弱い磁力で記録を行う。
【産業上の利用可能性】
【００５８】
本発明の実施例により、放熱性と浮上特性を確保した上で、半導体レーザをヘッド近傍に配置でき、高い光結合効率で光を伝搬させることができる。その結果、コンパクトな構成で、高密度・高速対応を可能とする熱アシスト磁気記録ヘッドが実現可能となる。
【図面の簡単な説明】
【００５９】
【図１】本発明の第一の実施の形態を示す模式図である。
【図２】本発明の第一の実施のバリエーションを示す模式図である。
【図３】本発明の第一の実施のバリエーションを示す模式図である。
【図４】本発明の第二の実施の形態を示す模式図である。
【図５】本発明の第三の実施の形態を示す模式図である。
【図６】本発明の第四の実施の形態を示す模式図である。
【図７】本発明の第五の実施の形態を示す模式図である。
【図８】本発明の第六の実施の形態を示す模式図である。
【図９】本発明の第七の実施の形態を示す模式図である。
【図１０】本発明の第八の実施の形態を示す模式図である。
【図１１】本発明の実施例にかかるスライダの図である。
【符号の説明】
【００６０】
１・・・第一の光導波路、２・・・基板、３・・・第二の光導波路、４・・・スライダ、５・・・半導体レーザの電極、６・・・基板２の電極、７・・・はんだ、８・・・ミラー、１０、１１、１２・・・接着剤、１５・・・コア、１６・・・クラッド、２０・・・サスペンション、２１・・・ディンプル、２２・・・近接場発生素子、２３・・・はんだボール、２４・・・スピンドルモータ、２５・・・アーム、２６・・・ボイスコイルモータ、３０・・・信号処理用ＬＳＩ、３１・・・磁気ディスク、３２・・・筐体、５０・・・突起、５１・・・段差下面、５２・・・段差の斜面、５３・・・段差上面、５４・・・マッチング樹脂、５５・・・ポッティング樹脂、５６・・・1/2波長板（光学機能素子）、１００・・・半導体レーザ、１０１・・・半導体レーザの活性層、２００・・・熱アシスト磁気ヘッド、３００・・・ハードディスクドライブ装置
【図１】
2010040112.tif 000003
【図２】
2010040112.tif 000004
【図３】
2010040112.tif 000005
【図４】
2010040112.tif 000006
【図５】
2010040112.tif 000007
【図６】
2010040112.tif 000008
【図７】
2010040112.tif 000009
【図８】
2010040112.tif 000010
【図９】
2010040112.tif 000011
【図１０】
2010040112.tif 000012
【図１１】
2010040112.tif 000013